(57)【要約】【課題】アンテナを設置するためのスペースを大きく確保することができる電子機器を提供する。【解決手段】電子機器は、開口部２３を有する金属製の筐体と、筐体の内部で開口部２３と一部重複して設けられるとともに、外部との間で無線通信を行うアンテナ２４と、開口部２３を塞ぐように設けられる絶縁性のカバー２５と、を具備する。カバー２５は、アンテナ２４を介して筐体に固定される。【選択図】図３
2010010822.tif 000002
【特許請求の範囲】
【請求項１】
開口部を有する金属製の筐体と、
前記筐体の内部で前記開口部と一部重複して設けられるとともに、外部との間で無線通信を行うアンテナと、
前記開口部を塞ぐように設けられる絶縁性のカバーと、
を具備し、
前記カバーは、前記アンテナを介して前記筐体に固定されることを特徴とする電子機器。
【請求項２】
前記アンテナは、平板状をなすとともに前記筐体に固定されるグランド部と、前記グランド部から前記開口部に向かって線状に突出する導体部と、を有するように金属板金によって形成され、
前記導体部は、前記カバーを取り付けるための取付部を有することを特徴とする請求項１に記載の電子機器。
【請求項３】
前記アンテナは、逆Ｆ型アンテナであることを特徴とする請求項２に記載の電子機器。
【請求項４】
前記グランド部よりも大きい面積を有する金属製の接着フィルムをさらに具備し、
前記接着フィルムは、前記筐体との間で前記グランド部を挟むように前記アンテナを前記筐体に接着することを特徴とする請求項３に記載の電子機器。
【請求項５】
前記筐体は、
内部にプリント回路板を収容する本体キャビネットと、
内部にディスプレイを収容するディスプレイキャビネットと、
前記本体キャビネットと前記ディスプレイキャビネットとの間の位置に設けられるとともに、前記本体キャビネットに対して回転できるように前記ディスプレイキャビネットを支持するヒンジ部と、
を含み、
前記開口部は、前記ヒンジ部とは反対側の位置で前記ディスプレイキャビネットに設けられることを特徴とする請求項４に記載の電子機器。
【請求項６】
前記アンテナは、前記筐体に固定される基板と、前記基板上で平板状に形成されるグランド部と、前記グランド部から前記開口部に向かって線状に突出するように前記基板上に形成される導体部と、を有し、
前記基板は、前記カバーを取り付けるための取付部を有することを特徴とする請求項１に記載の電子機器。
【請求項７】
前記筐体は、
内部にプリント回路板を収容する本体キャビネットと、
内部にディスプレイを収容するディスプレイキャビネットと、
前記本体キャビネットと前記ディスプレイキャビネットとの間の位置に設けられるとともに、前記本体キャビネットに対して回転できるように前記ディスプレイキャビネットを支持するヒンジ部と、
を含み、
前記開口部は、前記ヒンジ部とは反対側の位置で前記ディスプレイキャビネットに設けられることを特徴とする請求項６に記載の電子機器。
【請求項８】
開口部を有する金属製の筐体と、
前記開口部を塞ぐように設けられる絶縁性のカバーと、
前記開口部の近傍で前記筐体に作りこまれるとともに、外部との間で無線通信を行うアンテナ部と、
を具備し、
前記カバーは、前記アンテナ部を介して前記筐体に固定されることを特徴とする電子機器。
【請求項９】
前記筐体は、
前記アンテナ部のグランドを兼ねている本体と、
前記本体から前記開口部に向かって線状に突出するとともに、前記アンテナ部の一部をなしている導体部と、
を有し、
前記導体部は、前記カバーを取り付けるための取付部を有することを特徴とする請求項８に記載の電子機器。
【請求項１０】
前記アンテナ部は、逆Ｆ型アンテナであることを特徴とする請求項９に記載の電子機器。
【請求項１１】
前記筐体は、
内部にプリント回路板を収容する本体キャビネットと、
内部にディスプレイを収容するディスプレイキャビネットと、
前記本体キャビネットと前記ディスプレイキャビネットとの間の位置に設けられるとともに、前記本体キャビネットに対して回転できるように前記ディスプレイキャビネットを支持するヒンジ部と、
を含み、
前記開口部は、前記ヒンジ部とは反対側の位置で前記ディスプレイキャビネットに設けられることを特徴とする請求項１０に記載の電子機器。
【発明の詳細な説明】
【技術分野】
【０００１】
本発明は、無線通信に用いられるアンテナを備えた電子機器に関する。
【背景技術】
【０００２】
電波遮蔽性のある筐体を採用するのと同時に、安定した無線通信を可能とした携帯情報端末が開示されている。この携帯情報端末は、本体と、本体にヒンジ等により開閉自在に取り付けられたリアカバーと、リアカバーの内側に取り付けられる液晶ディスプレイと、を備えている。リアカバーは、導電性のある炭素繊維強化樹脂で形成されている。リアカバーは、その外側に長方形の凹所を有している。この凹所の内側に板状のアンテナが装着される。
【０００３】
この携帯情報端末では、板状のアンテナが導電性の筐体の外側に設けられているため、筐体によって電波が遮蔽されることがなく、無線通信が安定する（例えば、特許文献１参照）。
【特許文献１】特開２００６−１３７９７号公報
【発明の開示】
【発明が解決しようとする課題】
【０００４】
ところで、導電性の筐体の内部にアンテナを配置しようとする際に、筐体の一部に開口部を設けることで、開口部を介して外部との間で無線通信を可能にすることがある。このとき、開口部は、電波を遮蔽しない材質で形成されたカバーなどによって塞がれている。また、このカバーは、筐体から開口部に向けて突出した金属製の支持構造によって支持されることが多い。一方、アンテナは、外部との間で安定的に電波の送受信を行うため、この金属製の支持構造から一定の距離を離して配置する必要がある。このため、筐体の内部でアンテナを設置できるスペースが小さくなっており、従来型の電子機器には改良の余地があった。
【０００５】
本発明の目的は、アンテナを設置するためのスペースを大きく確保することができる電子機器を提供することにある。
【課題を解決するための手段】
【０００６】
前記目的を達成するため、本発明の一つの形態に係る電子機器は、開口部を有する金属製の筐体と、前記筐体の内部で前記開口部と一部重複して設けられるとともに、外部との間で無線通信を行うアンテナと、前記開口部を塞ぐように設けられる絶縁性のカバーと、を具備し、前記カバーは、前記アンテナを介して前記筐体に固定される。
【０００７】
前記目的を達成するため、本発明の一つの形態に係る電子機器は、開口部を有する金属製の筐体と、前記開口部を塞ぐように設けられる絶縁性のカバーと、前記開口部の近傍で前記筐体に作りこまれるとともに、外部との間で無線通信を行うアンテナ部と、を具備し、前記カバーは、前記アンテナ部を介して前記筐体に固定される。
【発明の効果】
【０００８】
本発明によれば、アンテナを設置するためのスペースを大きく確保することができる電子機器を提供できる。
【発明を実施するための最良の形態】
【０００９】
以下に、図１から図４を参照して、電子機器の実施形態について説明する。本実施形態では、電子機器の一例として、いわゆるノートブック型のパーソナルコンピュータであるポータブルコンピュータに適用した場合を例に説明する。
【００１０】
図１に示すように、ポータブルコンピュータ１１は、本体ユニット１２と、ディスプレイユニット１３と、本体ユニット１２とディスプレイユニット１３との間に設けられるヒンジ部１４と、を備えている。ヒンジ部１４は、ディスプレイユニット１３を回動可能に支持している。ヒンジ部１４は、本体ユニット１２に対して閉じている状態と、本体ユニット１２に対して開いている状態との間で回動できるようにディスプレイユニット１３を支持している。
【００１１】
本体ユニット１２は、金属製の本体キャビネット１５と、本体キャビネット１５の内部に収容されるプリント回路板１６および無線モジュール１７と、本体キャビネット１５に取り付けられたキーボード１８およびタッチパッド１９と、を備えている。プリント回路板１６は、ＣＰＵ等の複数の回路部品を有している。図１において、無線モジュール１７は、３個のみ示している。
【００１２】
図１から図３に示すように、ディスプレイユニット１３は、金属製のディスプレイキャビネット２１と、ディスプレイキャビネット２１の内部に収納されるディスプレイの一例である液晶ディスプレイ２２と、ディスプレイキャビネット２１に設けられた開口部２３と、ディスプレイキャビネット２１の内部に設けられた複数のアンテナ２４と、開口部２３を塞ぐように設けられる絶縁性のカバー２５と、を備えている。カバー２５は、例えば、合成樹脂によって形成されている。カバー２５は、後述するアンテナ２４の取付部２６に溶着するための図示しない円柱形の突起を有している。カバー２５は、アンテナ２４を介してディスプレイキャビネット２１に固定されている。開口部２３は、ヒンジ部１４とは反対側の位置で、ディスプレイキャビネット２１に設けられている。
【００１３】
アンテナ２４は、開口部２３の内側に一部はみ出すように、ディスプレイキャビネット２１に接着されている。言い換えると、アンテナ２４は、開口部２３と一部重複するように配置されている。各アンテナ２４は、Ｂｌｕｅｔｏｏｔｈ（登録商標）や無線ＬＡＮ、無線ＷＡＮ、ＷｉＭＡＸ、ＵＷＢ、またはＧＰＳのような通信方式、或いは３Ｇや３．５Ｇのような携帯電話方式といった各方式にそれぞれ対応している。図３においては、アンテナ２４を３個のみ示している。
【００１４】
ディスプレイキャビネット２１は、例えばマグネシウム合金によって形成されている。ディスプレイキャビネット２１は、液晶ディスプレイ２２の後背部を覆うバックカバー２７と、液晶ディスプレイ２２の前方部を取り囲む枠状のマスク２８と、を有している。また、ディスプレイキャビネット２１の内部には、液晶ディスプレイ２２を避けるように、同軸ケーブル３１が配置されている。同軸ケーブル３１は、０．８ｍｍから１．４ｍｍ程度の直径のものが用いられており、本体キャビネット１５、ディスプレイキャビネット２１、およびヒンジ部１４にまたがるように配置されている。すなわち、同軸ケーブル３１は、本体ユニット１２の無線モジュール１７と、ディスプレイユニット１３のアンテナ２４とを接続している。
【００１５】
アンテナ２４は、例えば銅製の金属板金によって形成されており、外部との間で無線通信を行うことができる。アンテナ２４は、方形の平板状をなしたグランド部２４Ａと、グランド部２４Ａから線状に突出する導体部２４Ｂと、導体部２４Ｂに形成された取付部２６と、を有している。グランド部２４Ａは、例えば、両面テープによってディスプレイキャビネット２１に接着されている。導体部２４Ｂは、開口部２３に向かって突出している。導体部２４Ｂは、グランド部２４Ａから離れる方向に延びているが、その途中においてグランド部２４Ａと平行な方向に折れ曲がっている。すなわち、本実施形態では、アンテナ２４は、逆Ｆ型アンテナで構成されている。
【００１６】
取付部２６は、導体部２４Ｂの中央部に形成された貫通孔である。この取付部２６に対して、カバー２５の突起を挿入した後に加熱することで、この取付部２６に対して突起が溶着される。なお、本実施形態では、取付部２６にカバー２５を溶着するようにしているが、カバー２５の固定方法はこれに限定されるものではない。例えば、アンテナ２４の導体部２４Ｂの縁に引っかかる爪部をカバー２５に設けて、この爪を導体部２４Ｂに係合させることによって、カバー２５をディスプレイキャビネット２１に固定するようにしてもよい。
【００１７】
同軸ケーブル３１は、心線３１Ａと、絶縁部を間に介在して心線３１Ａの周囲を取り囲むグランド層３１Ｂと、を有している。心線３１Ａは、アンテナ２４の導体部２４Ｂにおいて、グランド部２４Ａに向けて突出する部分である第１の片部３２に接続されている。また、グランド層３１Ｂは、ディスプレイキャビネット２１に形成された第２の片部３３に接続されている。なお、本発明にいう筐体は、ディスプレイキャビネット２１、本体キャビネット１５、ヒンジ部１４を含んだ概念である。また、本実施形態において、アンテナ２４は、ディスプレイキャビネット２１の内部に設けられているが、これに限定されるものではなく、本体キャビネット１５の内部に設けるようにしてもよい。
【００１８】
第１の実施形態によれば、ポータブルコンピュータ１１は、開口部２３を有する金属製の筐体と、筐体の内部で開口部２３と一部重複して設けられるとともに、外部との間で無線通信を行うアンテナ２４と、開口部２３を塞ぐように設けられる絶縁性のカバー２５と、を具備し、カバー２５は、アンテナ２４を介して筐体に固定される。この構成によれば、金属製の筐体に開口部２３が設けられているので、筐体によって電波が遮蔽されることを低減して、アンテナ２４による無線通信を円滑に行うことができる。また、カバー２５を支持するための構造をアンテナ２４が兼ねているため、この支持構造を別途に設ける必要がなく、アンテナ２４を設置するためのスペースを十分に確保することができる。これによって、筐体の小型化を図ることができる。さらに、アンテナ２４がカバー２５の支持構造を兼ねているため、この支持構造を別途に設ける必要がなく、部品点数を削減することができる。
【００１９】
この場合、アンテナ２４は、平板状をなすとともに筐体に固定されるグランド部２４Ａと、グランド部２４Ａから開口部２３に向かって線状に突出する導体部２４Ｂと、を有するように金属板金によって形成され、導体部２４Ｂは、カバー２５を取り付けるための取付部２６を有する。この構成によれば、導体部２４Ｂにカバー２５を取り付けるための取付部２６が設けられるため、開口部２３に向かって突出している導体部２４Ｂをカバー２５を固定する部分として有効に活用することができる。
【００２０】
この場合、アンテナ２４は、逆Ｆ型アンテナであるので、導体部２４Ｂは、その途中でグランド部２４Ａと平行な方向に折れ曲がっている。このため、アンテナ２４を省スペースなものとすることができ、限られたスペースの中で複数のアンテナ２４を高密度に配置することができる。これによって、筐体の内部に取り付けるアンテナ２４のレイアウトの自由度を向上することができる。
【００２１】
この場合、筐体は、内部にプリント回路板１６を収容する本体キャビネット１５と、内部にディスプレイを収容するディスプレイキャビネット２１と、本体キャビネット１５とディスプレイキャビネット２１との間の位置に設けられるとともに、本体キャビネット１５に対して回転できるようにディスプレイキャビネット２１を支持するヒンジ部１４と、を含み、開口部２３は、ヒンジ部１４とは反対側の位置でディスプレイキャビネット２１に設けられる。
【００２２】
この構成によれば、アンテナ２４は、ディスプレイキャビネット２１の内部で、ヒンジ部１４から遠い位置に配置される。このため、ポータブルコンピュータ１１を使用している状態において、アンテナ２４を高い位置に配置することができる。これにより、遠方にある基地局との間で電波の送受信が可能となり、アンテナ２４による無線通信を円滑に行うことができる。
【００２３】
続いて、図５を参照して、ポータブルコンピュータの第２の実施形態について説明する。第２の実施形態の電子機器の一例であるポータブルコンピュータ４１は、アンテナ２４を筐体に接着するための構造が第１の実施形態と異なっているが、他の部分は第１の実施形態と共通している。このため、主として第１の実施形態と異なる部分について説明し、共通する箇所については共通の符号を付して説明を省略する。
【００２４】
第２の実施形態のディスプレイユニット１３は、金属製のディスプレイキャビネット２１と、ディスプレイキャビネット２１の内部に収納される液晶ディスプレイ２２と、ディスプレイキャビネット２１に設けられた開口部２３と、ディスプレイキャビネット２１の内部に設けられたアンテナ２４と、開口部２３を塞ぐように設けられる絶縁性のカバー２５と、アンテナ２４を筐体に接着するための金属製の接着フィルム４２と、を備えている。
【００２５】
また、ディスプレイキャビネット２１の内部には、液晶ディスプレイ２２を避けるように、同軸ケーブル３１が配置されている。同軸ケーブル３１は、無線モジュール１７と、アンテナ２４とを接続している。なお、図６において同軸ケーブル３１の図示を省略している。
【００２６】
アンテナ２４は、金属板金によって形成されている。アンテナ２４は、方形の平板状をなしたグランド部２４Ａと、グランド部２４Ａから線状に突出する導体部２４Ｂと、導体部２４Ｂに形成された取付部２６と、を有している。導体部２４Ｂは、開口部２３に向かって突出している。アンテナ２４は、逆Ｆ型アンテナで構成され、導体部２４Ｂは、途中においてグランド部２４Ａと平行な方向に折れ曲がっている。
【００２７】
接着フィルム４２は、方形をなしており、グランド部２４Ａよりも大きい面積を有している。接着フィルム４２は、例えば、銅箔やアルミニウム箔で構成される。接着フィルム４２は、片方の面に粘着層を有している。接着フィルム４２は、アンテナ２４のグランド部２４Ａを覆うように、上側からグランド部２４Ａに貼り付けられている。接着フィルム４２は、筐体との間でグランド部２４Ａを挟むようにアンテナ２４を筐体に接着することができる。
【００２８】
第２の実施形態によれば、ポータブルコンピュータ４１は、グランド部２４Ａよりも大きい面積を有する金属製の接着フィルム４２をさらに具備し、接着フィルム４２は、筐体との間でグランド部２４Ａを挟むようにアンテナ２４を筐体に接着する。この構成によれば、アンテナ２４と筐体との間において、高周波的な結合を強くすることができる。これによって、筐体と電気的に接続された安定なグランド部２４Ａを形成することができ、アンテナ２４による無線通信をさらに円滑に行うことができる。
【００２９】
続いて、図６を参照して、ポータブルコンピュータの第３の実施形態について説明する。第３の実施形態の電子機器の一例であるポータブルコンピュータ５１は、アンテナ５２の形状が第１の実施形態と異なっているが、他の部分は第１の実施形態と共通している。このため、主として第１の実施形態と異なる部分について説明し、共通する箇所については共通の符号を付して説明を省略する。
【００３０】
第３の実施形態のアンテナ５２は、いわゆる折り返しモノポールアンテナと呼ばれるものである。アンテナ５２は、銅製の金属板金によって形成されている。アンテナ５２は、方形の平板状をなしたグランド部５２Ａと、グランド部５２Ａから線状に突出する導体部５２Ｂと、導体部５２Ｂに形成された取付部２６と、を有している。グランド部５２Ａは、例えば、両面テープによって筐体に接着されている。導体部５２Ｂは、開口部２３に向かってグランド部５２Ａから離れる方向に突出している。導体部５２Ｂは、その途中においてグランド部５２Ａと平行な方向に折れ曲がっており、「Ｕ」字形状をなしている。
【００３１】
取付部２６は、導体部５２Ｂの中央部に形成された貫通孔である。取付部２６に対して、カバー２５の突起を挿入した後に加熱することで、この取付部２６にカバー２５の突起が溶着される。
【００３２】
同軸ケーブル３１の心線３１Ａは、導体部５２Ｂにおいて、グランド部５２Ａに向けて突出する部分である第１の片部３２に接続されている。また、グランド層３１Ｂは、グランド部５２Ａに形成された第２の片部３３に接続されている。
【００３３】
第３の実施形態によれば、アンテナ５２が、いわゆる折り返しモノポールアンテナの形状を有していても、アンテナ５２の導体部５２Ｂによって、カバー２５の支持構造を兼ねることができる。これによって、カバー２５を支持するための構造を別途に設ける必要がなく、アンテナ５２を設置するためのスペースを十分に確保することができる。
【００３４】
続いて、図７を参照して、ポータブルコンピュータの第４の実施形態について説明する。第４の実施形態の電子機器の一例であるポータブルコンピュータ６１は、アンテナ６２の構造が第１の実施形態と異なっているが、他の部分は第１の実施形態と共通している。このため、主として第１の実施形態と異なる部分について説明し、共通する箇所については共通の符号を付して説明を省略する。
【００３５】
第４の実施形態のアンテナ６２は、基板６２Ａ上に例えばスクリーン印刷等によって印刷された導体のパターンとして形成されている。アンテナ６２は、方形の基板６２Ａと、基板６２Ａ上で方形の平板状に形成されるグランド部６２Ｂと、グランド部６２Ｂから線状に突出するように基板６２Ａ上に形成される導体部６２Ｃと、カバー２５を取り付けるための取付部２６と、を有している。取付部２６は、導体部６２Ｃおよびグランド部６２Ｂから外れた位置で、貫通孔として形成される。
【００３６】
基板６２Ａは、例えば、ガラスエポキシ基板で構成されている。基板６２Ａはディスプレイキャビネット２１に例えば両面テープ等で接着されている。導体部６２Ｃは、グランド部６２Ｂから離れる方向に突出して、開口部２３に向かって延びている。導体部６２Ｃは、その途中においてグランド部６２Ｂと平行な方向に折れ曲がっている。同軸ケーブル３１の心線３１Ａは、アンテナ６２の導体部６２Ｃで、グランド部６２Ｂに向けて突出した第１の片部６３に接続されている。また、同軸ケーブル３１のグランド層３１Ｂは、グランド部６２Ｂに形成された第２の片部６４に接続されている。
【００３７】
第４の実施形態によれば、アンテナ６２は、筐体に固定される基板６２Ａと、基板６２Ａ上で平板状に形成されるグランド部６２Ｂと、グランド部６２Ｂから開口部２３に向かって線状に突出するように基板６２Ａ上に形成される導体部６２Ｃと、を有し、基板６２Ａはカバー２５を取り付けるための取付部２６を有する。この構成によれば、基板６２Ａ上に形成した導体のパターンによって構築されるアンテナ６２よっても、カバー２５の支持構造を兼ねることができる。これによって、カバー２５を支持するための構造を別途に設ける必要がなく、アンテナ６２を設置するためのスペースを十分に確保できる。
【００３８】
続いて、図８を参照して、ポータブルコンピュータの第５の実施形態について説明する。第５の実施形態の電子機器の一例であるポータブルコンピュータ７１は、アンテナがディスプレイキャビネット２１と一体に形成されている点で第１の実施形態と異なっているが、他の部分は第１の実施形態と共通している。このため、主として第１の実施形態と異なる部分について説明し、共通する箇所については共通の符号を付して説明を省略する。
【００３９】
ディスプレイユニット１３は、金属製のディスプレイキャビネット２１と、ディスプレイキャビネット２１の内部に収納されるディスプレイの一例である液晶ディスプレイ２２と、ディスプレイキャビネット２１に設けられた開口部２３と、ディスプレイキャビネット２１に作りこまれたアンテナ部７２と、開口部２３を塞ぐように設けられる絶縁性のカバー２５と、を備えている。カバー２５は、後述するアンテナ２４の取付部２６に溶着するための図示しない突起を有している。
【００４０】
ディスプレイキャビネット２１は、液晶ディスプレイ２２の後背部を覆うバックカバー２７と、液晶ディスプレイ２２の前方部を取り囲む枠状のマスク２８と、を有している。
【００４１】
バックカバー２７は、アンテナ部７２のグランドを兼ねている本体７３と、本体７３から線状に突出する導体部７４と、導体部７４に形成された取付部２６と、を有している。導体部７４は、開口部２３に向かって突出しており、アンテナ部７２の一部をなしている。導体部７４は、グランドを兼ねる本体７３から離れる方向に延びているが、その途中において、本体７３と平行な方向に折れ曲がっている。このアンテナ部７２は、逆Ｆ型アンテナで構成されている。
【００４２】
取付部２６は、導体部７４の中央部に形成された貫通孔である。取付部２６に対して、カバー２５の突起を挿入した後に加熱することで、この取付部２６にカバー２５の突起が溶着される。また、同軸ケーブル３１の心線３１Ａは、アンテナ２４の導体部７４において、本体７３に向けて突出する部分である第１の片部７５に接続されている。また、同軸ケーブル３１のグランド層３１Ｂは、ディスプレイキャビネット２１に形成された第２の片部７６に接続されている。
【００４３】
第５の実施形態によれば、ポータブルコンピュータ７１は、開口部２３を有する金属製の筐体と、開口部２３を塞ぐように設けられる絶縁性のカバー２５と、開口部２３の近傍で筐体に作りこまれるとともに、外部との間で無線通信を行うアンテナ部７２と、を具備し、カバー２５は、アンテナ部７２を介して筐体に固定される。この構成によれば、カバー２５を筐体に固定するための支持構造を別途に設ける必要がないため、アンテナ部７２を配置するためのスペースを十分に確保することができる。また、アンテナ部７２が筐体と一体に作りこまれているため、アンテナ２４を筐体に接着するための両面テープ等が必要なく、製造工程の簡略化および部品点数の削減を図ることができる。なお、本実施形態では、アンテナ部７２は、筐体のうち、ディスプレイキャビネット２１と一体に形成されているが、これに限定されるものではなく、筐体のうち、本体キャビネット１５と一体に形成するようにしてもよい。
【００４４】
この場合、筐体は、アンテナ部７２のグランドを兼ねている本体７３と、本体７３から開口部２３に向かって線状に突出するとともに、アンテナ部７２の一部をなしている導体部７４と、を有し、導体部７４は、カバー２５を取り付けるための取付部２６を有する。この構成によれば、開口部２３に向かって突出している導体部７４をカバー２５を固定する部分として有効に活用することができる。
【００４５】
この場合、アンテナ部７２は、逆Ｆ型アンテナであるので、導体部７４は、その途中で本体７３と平行な方向に折れ曲がっている。このため、アンテナ部７２を省スペースなものとすることができ、アンテナ部７２の設置に必要なスペースを低減することができる。
【００４６】
その他、本発明の電子機器は、前記実施の形態に限定されるものではない。本発明の電子機器は、携帯電話機にも適用することができる。このほか、本発明の電子機器は、発明の要旨を逸脱しない範囲で種々変形実施可能であるのは勿論である。
【図面の簡単な説明】
【００４７】
【図１】第１の実施形態に係る電子機器の一例であるポータブルコンピュータを前方から示す斜視図。
【図２】図１に示すポータブルコンピュータを後方から示す斜視図。
【図３】図２に示すポータブルコンピュータのディスプレイユニットのバックカバーを内側から示す平面図。
【図４】図３に示すディスプレイユニットのアンテナと同軸ケーブルを示す斜視図。
【図５】第２の実施形態に係るポータブルコンピュータのアンテナの周辺構造を示す平面図。
【図６】第３の実施形態に係るポータブルコンピュータのアンテナの周辺構造を示す平面図。
【図７】第４の実施形態に係るポータブルコンピュータのディスプレイユニットのバックカバーを内側から示す平面図。
【図８】第５の実施形態に係るポータブルコンピュータのディスプレイユニットのバックカバーを内側から示す平面図。
【符号の説明】
【００４８】
１１、４１、５１、６１、７１…ポータブルコンピュータ、１４…ヒンジ部、１５…本体キャビネット、２１…ディスプレイキャビネット、２２…液晶ディスプレイ、２３…開口部、２４、５２、６２…アンテナ、２４Ａ、５２Ａ…グランド部、２４Ｂ、５２Ｂ…導体部、２５…カバー、２６…取付部、４２…接着フィルム、６２Ａ…基板、６２Ｂ…グランド部、６２Ｃ…導体部、７２…アンテナ部、７３…本体、７４…導体部
【図１】
2010010822.tif 000003
【図２】
2010010822.tif 000004
【図３】
2010010822.tif 000005
【図４】
2010010822.tif 000006
【図５】
2010010822.tif 000007
【図６】
2010010822.tif 000008
【図７】
2010010822.tif 000009
【図８】
2010010822.tif 000010